(57)【要約】【課題】水はねや水の落下が少なく、被洗浄面に密着して効率よく洗浄することができる洗浄具とその製造方法を提供する。【解決手段】被洗浄面の汚れを落とすために被洗浄面に接触する掃除部１１をネット部材１６で包む。ネット部材１６は、複数本のフィラメント２０により編まれたマット部１８と、マット部１８の一方の面に形成されマット部１８の厚み方向へ立ち上がるワイパー部２２を備える。ワイパー部２２は適度な柔軟性を有する樹脂又はゴムで作られ、マット部１８のフィラメント２０に沿って取り付けられた突条であり、ワイパー部２２は掃除部１１の外側に向かって突出し、被洗浄面に密着可能である。マット部１８のフィラメント２０は細フィラメント２０ａと太フィラメント２０ｂから成る。【選択図】図１
2014166194.tif 000002
【特許請求の範囲】
【請求項１】
被洗浄面の汚れを落とすために被洗浄面に接触する掃除部を、ネット部材で包んだ洗浄具において、
前記ネット部材は、複数本のフィラメントにより編まれたマット部と、前記マット部の一方の面に形成され前記マット部の厚み方向へ立ち上がるワイパー部が設けられ、前記ワイパー部は適度な柔軟性を有する樹脂又はゴムで作られ、前記マット部の前記フィラメントに沿って取り付けられた突条であり、前記ワイパー部は前記掃除部の外側に向かって突出し、前記被洗浄面に密着可能に設けられていることを特徴とする洗浄具。
【請求項２】
前記マット部の前記フィラメントは細フィラメントと太フィラメントから成り、前記細フィラメントにより前記マット部本体部分が設けられ、本体部分は細かい空隙を含んで編まれて所定厚みに形成され、前記マット部本体部分の両面には、前記太フィラメントがハニカム形状に編み込まれて取り付けられ、前記ワイパー部は、前記マット部の一方の面の前記太フィラメントに取り付けられ、前記ワイパー部はハニカム形状に連続して設けられている請求項１記載の洗浄具。
【請求項３】
前記洗浄具の前記掃除部は、所定の形状にカットされた板体と、前記板体の一側面に適度な剛性を有する毛が植えられて設けられたデッキブラシであり、前記デッキブラシの被洗浄面に接触する洗浄部である前記毛全体を前記ネット部材で外側から包み、前記ネット部材は前記毛全体の形状に合うようにカットして合わせ目で組み立てて立体的に形成され、前記ネット部材の開口した周縁部は前記板体に固定手段で取り付けられている請求項１記載の洗浄具。
【請求項４】
前記ワイパー部は、塩化ビニル樹脂、シリコーン樹脂、アクリル樹脂、又は天然ゴムで作られている請求項１記載の洗浄具。
【請求項５】
複数本のフィラメントにより細かい空隙を含んで編まれた所定厚みのマット部を、上ローラと下ローラで挟みながら一方向に送り、前記下ローラの下方には、塩化ビニル樹脂、シリコーン樹脂、アクリル樹脂、又は天然ゴムから成る液体粘性材料が入れられた容器が置かれ、前記下ローラは、前記液体粘性材料の液面に接触して、前記液体粘性材料が付着した状態で前記ネット部材を送り、前記マット部の下面に前記液体粘性材料を塗布し、前記液体粘性材料が下ローラから離れるときに粘性により前記マット部の前記フィラメント表面から引き伸ばされ、その後自重で下垂して前記フィラメント表面に沿って突条を形成し、前記突条を形成した状態で前記マット部を加熱炉に入れて加熱を行い、前記液体粘性材料を硬化させて前記マット部の厚み方向へ立ち上がるワイパー部を形成し、前記ワイパー部が形成されたネット部材で、被洗浄面の汚れを落とすための掃除部の洗浄部を包み、前記ワイパー部が前記掃除部の外側に向かって突出し、前記被洗浄面に密着可能とすることを特徴とする洗浄具の製造方法。
【発明の詳細な説明】
【技術分野】
【０００１】
この発明は、物品の表面に付着した汚れを除去する洗浄具とその製造方法に関する。
【背景技術】
【０００２】
従来、物品の表面に付着した汚れを洗浄する時、水や洗剤を付けて被洗浄面を掃除部でこすり、被洗浄面に付着した土やホコリ等の汚れを除去している。掃除部は、例えば、矩形の板体の一側面に剛性を有する毛が植えられたデッキブラシや、たわし、スポンジ等である。デッキブラシのような植毛された洗浄具は、洗浄する時、水や洗剤が毛からはじけて飛び、作業者が冷たいと感じて不快になり、また汚くなることがある。また植毛された掃除部は保水力が弱く、水で汚れを落とすときに水がすぐに落下して乾いてしまう問題がある。さらに、植毛された掃除部は、汚れた物品の表面に毛の先端部で接触するため、接触面積が小さく、汚れを落とす効率が良くないものである。この点を改良したものとして、植毛された掃除部をネット部材で包んだ洗浄具がある。
【０００３】
特許文献１に開示されている油取りブラシは、ブラシ本体にアクリル繊維ネット部材を被覆したものである。このアクリル繊維ネット部材は筒状であり、ブラシ本体に被覆して先端部は開放し、根端部を結着させている。この油取りブラシによれば、食器等の油汚れも、強固に固着した汚れも簡単に取れ、また水滴の飛散もない。また、洗剤の使用量を減らすことができ、洗剤による水の汚染を防止することができる。
【０００４】
特許文献２に開示されている洗浄用ブラシは、芯棒から多数本のパイルを放射状に伸ばしたブラシ部を有するブラシであって、ブラシ部には全体的にネット部材が被覆されている。ブラシ部の先端にはクッション材が取り付けられている。この洗浄用ブラシによれば、水はねもなくまた被洗浄面を傷つけることもなく、かつ効率よく食器等を洗浄することができる。
【先行技術文献】
【特許文献】
【０００５】
【特許文献１】特開平１１−２０６４５７号公報
【特許文献２】特開２００２−２９１５３５号公報
【発明の概要】
【発明が解決しようとする課題】
【０００６】
上記背景技術のいずれの場合も、ブラシに取り付けられたネット部材は、被洗浄面に接触する部分が繊維であるため被洗浄面に密着せず、十分な洗浄効果を得ることができないものである。繊維が細い線や点で被洗浄面に接触するため、こすっても筋状に汚れが落ちるだけで、接していない隙間が出来て落ちない汚れがあり、掃除部の位置をずらして複数回擦る必要があるが、洗浄の効率が良くないものである。
【０００７】
この発明は、上記背景技術の問題点に鑑みてなされたものであり、水はねや水の落下が少なく、被洗浄面に密着して効率よく洗浄することができる洗浄具とその製造方法を提供することを目的とする。
【課題を解決するための手段】
【０００８】
本発明は、被洗浄面の汚れを落とすために被洗浄面に接触する掃除部を、ネット部材で包んだ洗浄具であり、前記ネット部材は、複数本のフィラメントにより編まれたマット部と、前記マット部の一方の面に形成され前記マット部の厚み方向へ立ち上がるワイパー部が設けられ、前記ワイパー部は適度な柔軟性を有する樹脂又はゴムで作られ、前記マット部の前記フィラメントに沿って取り付けられた突条であり、前記ワイパー部は前記掃除部の外側に向かって突出し、前記被洗浄面に密着可能に設けられている洗浄具である。
【０００９】
前記マット部の前記フィラメントは細フィラメントと太フィラメントから成り、前記細フィラメントにより前記マット部本体部分が設けられ、本体部分は細かい空隙を含んで編まれて所定厚みに形成され、前記マット部本体部分の両面には、前記太フィラメントがハニカム形状に編み込まれて取り付けられ、前記ワイパー部は、前記マット部の一方の面の前記太フィラメントに取り付けられ、前記ワイパー部はハニカム形状に連続して設けられている。
【００１０】
前記洗浄具の前記掃除部は、所定の形状にカットされた板体と、前記板体の一側面に適度な剛性を有する毛が植えられて設けられたデッキブラシであり、前記デッキブラシの被洗浄面に接触する洗浄部である前記毛全体を前記ネット部材で外側から包み、前記ネット部材は前記毛全体の形状に合うようにカットして合わせ目で組み立てて立体的に形成され、前記ネット部材の開口した周縁部は前記板体に固定手段で取り付けられている。前記掃除部は、デッキブラシ以外の形状のブラシや、たわし、スポンジ等いろいろなものでもよい。
【００１１】
前記ワイパー部は、塩化ビニル樹脂、シリコーン樹脂、天然ゴム、アクリル樹脂等で作られている。
【００１２】
また本発明は、複数本のフィラメントにより細かい空隙を含んで編まれた所定厚みのマット部を、上ローラと下ローラで挟みながら一方向に送り、前記下ローラの下方には、塩化ビニル樹脂、シリコーン樹脂、アクリル樹脂、又は天然ゴムから成る液体粘性材料が入れられた容器が置かれ、前記下ローラは、前記液体粘性材料の液面に接触して、前記液体粘性材料が付着した状態で前記ネット部材を送り、前記マット部の下面に前記液体粘性材料を塗布し、前記液体粘性材料が下ローラから離れるときに粘性により前記マット部の前記フィラメント表面から引き伸ばされ、その後自重で下垂して前記フィラメント表面に沿って突条を形成し、前記突条を形成した状態で前記マット部を加熱炉に入れて加熱を行い、前記液体粘性材料を硬化させて前記マット部の厚み方向へ立ち上がるワイパー部を形成し、前記ワイパー部が形成されたネット部材で、被洗浄面の汚れを落とすための掃除部の洗浄部を包み、前記ワイパー部が前記掃除部の外側に向かって突出し、前記被洗浄面に密着する洗浄具の製造方法である。
【発明の効果】
【００１３】
本発明の洗浄具は、簡単な製造方法でネット部材のマット部にワイパー部を形成し、ワイパー部が被洗浄面に線で接するため、汚れが一度に落ち、確実に汚れを被洗浄面から除去することができ、簡単な作業により短時間できれいにすることができる。ワイパー部は適度な柔軟性を有しているため、被洗浄面の多少凹凸があっても柔軟に追従し、汚れを残すことなくきれいに除去することができる。
【図面の簡単な説明】
【００１４】
【図１】この発明の一実施形態の洗浄具の部分破断斜視図である。
【図２】この実施形態の洗浄具の斜視図である。
【図３】この実施形態の洗浄具のネット部材の斜視図である。
【図４】この実施形態の洗浄具のネット部材の縦断面図である。
【図５】この実施形態の洗浄具のネット部材の縦断面図である。
【図６】この実施形態の洗浄具のネット部材の縦断面図である。
【図７】この実施形態の洗浄具の洗浄具の製造方法を示す概略図である。
【図８】この実施形態の洗浄具の洗浄具の製造方法を示す概略図である。
【発明を実施するための形態】
【００１５】
以下、この発明の実施形態について図面に基づいて説明する。図１、図２はこの発明の一実施形態を示すもので、この実施形態の洗浄具１０は、被洗浄面の汚れを落とすための掃除部１１が設けられ、ここでは掃除部１１は床や車両等を洗浄するデッキブラシである。掃除部１１は、一方が長い矩形の板体１２が設けられ、板体１２は例えば木製や合成樹脂製である。板体１２の一方の側面１２ａに、被洗浄面に接触する洗浄部である剛性を有する複数本の毛１４が、約所定本数で束になって等間隔に植えられている。複数本の毛１４は長さが同じであり、毛１４が植えられた全体の形状は立方体形状となる。
【００１６】
掃除部１１には、毛１４を包むネット部材１６が取り付けられている。図３はネット部材１６を示すものであり、ネット部材１６は、合成樹脂等で作られたフィラメント２０から成る編み物であるマット部１８が設けられている。フィラメント２０は細フィラメント２０ａと太フィラメント２０ｂが設けられ、細フィラメント２０ａによりマット部１８の本体部分が設けられ、本体部分は細かい空隙を含んで編まれて所定厚みに形成されている。マット部１８本体部分の表面１８ａと裏面１８ｂには、太フィラメント２０ｂがハニカム形状に一面に均一に編み込まれて取り付けられている。太フィラメント２０ｂは、マット部１８の表面１８ａと裏面１８ｂからわずかに盛り上がり、表面１８ａと裏面１８ｂで互いに対向して一致する形状に設けられている。
【００１７】
マット部１８の、表面１８ａに設けられている太フィラメント２０ｂには、表面１８ａから所定高さに立ち上がるワイパー部２２が設けられている。ワイパー部２２は、適度な柔軟性を有する熱可塑性樹脂製等であり、太フィラメント２０ｂから立ち上がり太フィラメント２０ｂに沿って形成される突条であり、ハニカム形状に連続して設けられている。ワイパー部２２の長手方向に交差する断面形状は、基端部は太フィラメント２０ｂとほぼ同じ幅であり、先端部は幅が細くなっている。先端部は、図４〜図６に示すように、鋭利にとがった形状でもよく、丸みを帯びた形状でもよい。ワイパー部２２の樹脂は、例えば塩化ビニル樹脂、シリコーン樹脂、天然ゴム、アクリル樹脂等で作られ、ネット部材１６の太フィラメント２０ｂに一体に溶着して取り付けられている。
【００１８】
ネット部材１６は、ワイパー部２２と反対側の裏面１８ｂを、掃除部１１側にして毛１４全体を包んでいる。ネット部材１６は、毛１４全体の立方体形状に沿うようにカットされ、毛１４全体の上面の周縁部で９０°に折ったときに上面の４個の角部で互いに重なる部分は９０°に切り取って合わせ目２４で縫合または溶接されて、立体的に形成されている。ネット部材１６の開口した周縁部１６ａは、板体１２の、側面１２ａに直角に交差し一周する端面部１２ｂに重ねられ、周縁部１６ａのマット部１８表面１８ａにテープ２６を一周して取り付け、テープ２６の外側から釘２８を打って端面部１２ｂに固定する。釘２８は、ネジ等でもよい。これにより、ワイパー部２２は掃除部１１の外側に向かって突出し、被洗浄面に密着する。
【００１９】
次に、この実施形態の洗浄具１０の製造方法について説明する。所定形状の板体１２に、剛性を有する複数本の毛１４が約所定本数で束になって等間隔に植えられた掃除部１１を用意する。次に、毛１４全体を包むネット部材１６を作る。ネット部材１６は、まず合成樹脂等で作られたフィラメント２０を編んでマット部１８を作る。フィラメント２０は細フィラメント２０ａと太フィラメント２０ｂが設けられている。細フィラメント２０ａによりマット部１８の本体部分を設け、本体部分は細かい空隙を含んで編んで所定厚みに形成する。マット部１８本体部分の表面１８ａと裏面１８ｂに、太フィラメント２０ｂをハニカム形状に一面に均一に編み込む。太フィラメント２０ｂは、マット部１８の表面１８ａと裏面１８ｂからわずかに盛り上がり、表面１８ａと裏面１８ｂで互いに対向して一致する形状に設ける。
【００２０】
次に、マット部１８を、図７に示すように、図示しない基台に取り付けられた上ローラ３０と下ローラ３２で挟んで一方向に送る。下ローラ３２の下方にはワイパー部２２の材料となる塩化ビニル等で、ある程度の粘性のある液体粘性材料の液体樹脂３４が入れられた容器３６が設けられている。下ローラ３２の下部分は、容器３６に入れられた液体樹脂３４に浸漬され、下ローラ３２は回転すると表面に液体樹脂３４が付着する。液体樹脂３４が付着した状態でマット部１８を送り、マット部１８の下面に液体樹脂３４を塗布し、太フィラメント２０ｂはマット部本体部分からわずかに盛り上がっているため液体樹脂３４は太フィラメント２０ｂに付着し、液体樹脂３４が下ローラ３２と離れるときに粘着力で引き伸ばされ、その後自重で下垂して突条となり、ワイパー部２２が形成される。マット部１８本体部分には初め表面１８ａと裏面１８ｂの区別はないが、ここでマット部１８の液体樹脂３４が付着した面は表面１８ａとなる。液体樹脂３４の粘度が高いと、液体樹脂３４は延びで図４に示すように先端がとがったワイパー部２２となり、中程度の粘度では図５のように先端が丸くなり、これよりも粘度が低いと液垂れしてしまい図６のように高さが低いものとなる。目的のワイパー部２２の形状に合わせて増粘材等の配合や温度を変えて、粘度を調整する。
【００２１】
次に、ワイパー部２２を取り付けたマット部１８を、図８に示すように、ワイパー部２２が設けられた表面１８ａを上方に向けて、図示しない基台に取り付けられたベルトコンベア３８に載せ、加熱炉４０に入れて、所定温度で所定時間加熱し、ワイパー部２２の液体樹脂３４を硬化させてワイパー部２２を形成する。液体樹脂３４は、例えば塩化ビニル、シリコン樹脂、天然ゴム、アクリル樹脂等である。加熱条件は、塩化ビニルの場合１８０℃で１分間、シリコン樹脂の場合１５０℃で１分間、天然ゴムの場合１３０℃で２０分間、アクリル樹脂の場合１８０℃で１分間である。
【００２２】
ワイパー部２２がマット部１８に取り付けて作られたネット部材１６を、裏面１８ｂを内側にして掃除部１１の毛１４全体を包み、毛１４全体の立方体形状に合うように不要な部分を切除して合わせ目２４を作って立体的に形成し、ネット部材１６の開口した周縁部１６ａを板体１２の端面部１２ｂに重ね、テープ２６を一周して取り付け、テープ２６の外側から釘２８を打って端面部１２ｂに固定する。これにより洗浄具１０が完成する。
【００２３】
この実施形態の洗浄具１０によれば、毛１４をネット部材１６で覆うことにより毛１４による水はねを防ぎ、周囲や作業者が汚れることを防ぐことができる。毛１４のみで洗浄する場合は、被洗浄面に点で接するため隙間が出来て落ちない汚れがあり、位置をずらして複数回擦る必要があるが、洗浄具１０は、ワイパー部２２が被洗浄面に線で接するため、隙間が出来ずに汚れが一度に落ち、確実に汚れを被洗浄面から除去することができる。これにより、簡単な作業で短時間できれいにすることができる。ワイパー部２２は適度な柔軟性を有しているため、被洗浄面の多少凹凸があっても柔軟に追従し、汚れを残すことなくきれいに洗浄することができる。ネット部材１６は、フィラメント２０が隙間空間を有する編み物であるため、毛１４が外に突出可能であり、被洗浄面の溝等の洗浄には洗浄具１０を押しつけることで毛１４がネット部材１６の外側に出て溝の中に届き、汚れを掻き出すことができる。被洗浄面の平らな部分はワイパー部２２で効率よく洗浄し、細かい部分は毛１４で丁寧に洗浄し、使い分けて効率よくきれいにすることができる。洗浄具１０を洗浄面に押しつけるとき、毛１４の圧力によりネット部材１６全面に均一に力が加わり、被洗浄面を傷つけることがなく、適度な圧力で洗浄することができる。ワイパー部２２は適度な柔軟性を有する塩化ビニル等の熱可塑性樹脂やシリコーン樹脂、天然ゴム等で作られているため、汚れを付着させて素早くきれいにすることができる。毛１４を、空隙を含む厚いマット部１８で包んでいるため、保水力が高く、水で汚れを落とすときに水が落下せず、水が十分に被洗浄面を濡らして水で汚れを落とすことができる。車両や船舶、その他床面等の、大きくて汚れが多い被洗浄面の洗浄も効率よく行うことができる。マット部１８に簡単な製造方法で任意の高さのワイパー部２２を形成することができ、容易にネット部材１６を作って掃除部１１に取る付けることでワイパー部２２とマット部１８を有する洗浄具１０を作ることができる。
【００２４】
なお、この実施形態の洗浄具は、上記実施形態に限定されるものではなく、洗浄具の中に入れる掃除部の種類や形状は変更可能であり、板体の形状や毛の長さ等、変更可能であり、棒状の持手や手を差し込んで係止するベルト等がついたブラシでもよい。持手やベルトを取り付けることにより、さらに作業効率が向上する。掃除部は、デッキブラシ以外にたわしやスポンジ等でもよく、確実にネット部材が取り付けられるものであればよい。
【符号の説明】
【００２５】
１０  洗浄具
１１  掃除部
１２  板体
１４  毛
１６  ネット部材
１８  マット部
２０  フィラメント
２０ａ  細フィラメント
２０ｂ  太フィラメント
２２  ワイパー部
２４  合わせ目
２６  テープ
２８  釘
３０  上ローラ
３２  下ローラ
３４  液体樹脂
３６  容器
【図１】
2014166194.tif 000003
【図２】
2014166194.tif 000004
【図３】
2014166194.tif 000005
【図４】
2014166194.tif 000006
【図５】
2014166194.tif 000007
【図６】
2014166194.tif 000008
【図７】
2014166194.tif 000009
【図８】
2014166194.tif 000010